(57)【要約】【課題】妨害波、および、通信端末に付加的に組み込まれたテレビ受信機能等の検査用信号の発生を１台の検査装置で行うことが可能な無線機用テストシステムを実現する。【解決手段】無線機用テスタを用いて無線装置の性能を検査する無線機用テストシステムにおいて、前記無線機用テスタに、少なくとも妨害波、テレビ受信機能およびＧＰＳ受信機能を含む無線受信機能の検査を行うためのベースバンド信号発生器を組み込んだ。【選択図】      図１
2007208349.tif 000002
【特許請求の範囲】
【請求項１】
無線機用テスタを用いて無線装置の性能を検査する無線機用テストシステムにおいて、前記無線機用テスタに、少なくとも妨害波、テレビ受信機能およびＧＰＳ受信機能を含む無線受信機能の検査を行うためのベースバンド信号発生器を組み込んだことを特徴とする無線機用テストシステム。
【請求項２】
前記無線受信機能検査のための信号は前記ベースバンド信号発生器の出力信号を制御する測定制御手段を用いて検査ごとに切替えて行うことを特徴とする請求項１記載の無線機用テストシステム。
【請求項３】
検査の進行状況および測定部での測定結果を表示する表示手段を設けたことを特徴とする請求項１又は２に記載の無線機用テストシステム。
【請求項４】
前記無線装置は携帯電話であることを特徴とする請求項１乃至３のいずれかに記載の無線機用テストシステム。
【発明の詳細な説明】
【技術分野】
【０００１】
本発明は、無線機（例えば携帯電話機）のテストシステムに関し、隣接チャネル選択度やブロッキング特性の試験において必要となる妨害波を発生するとともに、通信端末に付加的に組み込まれたテレビ受信機能等の無線受信機能の検査用信号の発生を可能としたテストシステムに関する。
【背景技術】
【０００２】
従来、携帯電話機の性能をテストする項目の一つとして、隣接チャネル選択度やブロッキング特性の試験がある。図２はこのような試験に用いられる無線機用テストシステムの一例を示すブロック構成図である。
【０００３】
図２において、２１は被検査端末である携帯電話機、２２はサーキュレータ、２３はパワーコンバイナ、２４は携帯電話機テスタ、２５はＲＦ信号発生器、２６は制御用ＰＣである。上述の構成において、隣接チャネル選択度やブロッキング特性の試験を行うには、被検査端末１との通信用信号に加えて、妨害波を付加する必要がある。
【０００４】
即ち、携帯電話機テスタ２４からの送信信号にＲＦ信号発生器２５で発生した妨害波をパワーコンバイナ２３により付加し、サーキュレータ２２で送受信信号を分離して被検査端末１に接続していた。
【０００５】
また、自動検査を行うためには携帯電話機テスタ２４とＲＦ信号発生器２５を協調して動作させる必要がある。そのため、通常、制御用ＰＣ２６をＧＰ−ＩＢ２７等を用いて携帯電話機テスタ２４とＲＦ信号発生器２５に接続し、制御用ＰＣ２６上で自動検査ソフトウェアを実行して検査を行っていた。
【０００６】
図３は他の従来例を示すブロック構成図である。
図３において、被検査端末１及び２は、携帯電話であり、接続部１７および信号切替部３を介して端末制御部５,６に接続されている。
【０００７】
端末制御部５及び６のハード構成は、互いに同じであり、ＲＡＭ及びＣＰＵ(図示省略)を有している。これら、端末制御部５，６は被検査端末１，２に対しては、擬似基地局として機能する。
【０００８】
試験信号発生部５ａ，６ａは、所定のクロックを基に、Ｉ（ｔ）、Ｑ（ｔ）のベースバンド信号を発生するととも、そのベースバンド信号には、被検査端末１，２に対して擬似基地局として働くために必要な制御情報を含ませている。制御情報としては、被検査端末１，２と擬似基地局とでやりとりする位置登録、着呼、切断、その他の試験に必要な指示を含んでいる。
【０００９】
ＲＦ部５ｂ，６ｂは、試験信号発生部５ａ，６ａからのベースバンド信号で変調して、被検査端末１，２と同じ、通信方式及び周波数に変換した試験信号を被検査端末１，２に送るととともに、その試験信号を受けた被検査端末１，２からの応答信号を受信し、測定部７、８へ送る。
【００１０】
測定部７，８は、ＲＦ部５ｂ，６ｂからのＩＦ（中間周波数）信号を受けて、直交復調してＩ（ｔ）、Ｑ（ｔ）信号に変換したあと復号部でデコードされ、データ解析部で測定のための解析が行われる。
【００１１】
信号切替部３は、スイッチＳ１〜Ｓ４を有し、端末制御部５，６、測定部７，８及び被検査端末１，２の間にあって、製造工程において試験する際、被検査端末１，２の数、通信方式の種類、測定項目、或いは測定方法等に対応して組合せを変えるための切替を模式的に示している。
【００１２】
トータル制御部９は、プログラム管理部１０、測定制御部１１、データ処理部１２、及び表示制御部１４を備えている。
プログラム管理部１０は、端末制御部５、６が、被検査端末１，２の通信方式に対応して制御するためのプログラムを、予めメモリ１０ａに記憶しておき、測定制御部１１からの指示で必要なプログラムを出力する。
【００１３】
測定制御部１１は、被検査端末１，２の通信方式に応じて、プログラムをメモリ１０ａから読み出して、各端末制御部５，６へ送るととともに、測定（試験）項目に応じて、共通バス４を通して各部を制御する。測定部１，２及び端末制御部５，６は、共通バス４に接続されている。
【００１４】
データ処理部１２は、測定部７，８が測定したデータを処理、管理し、データメモリ１３に記憶させる。
表示制御部１４は、測定制御部１１からの指示を受けて、測定項目、測定手順、操作等をガイドする表示を行うとともに、データフォーマットを表示し、測定したデータを表示する。
【００１５】
外部インタフェース１６は、外部から制御するためのインタフェースであり測定制御部１１と接続されるが、測定制御部１１は、複数の端末制御部５，６及び測定部７，８を纏めて制御している。
【００１６】
表示部１５では、測定結果と測定指示である制御情報を被検査端末１，２毎に表示する。測定結果は、データメモリ１３に被検査端末１，２毎に記憶し、操作部１８からの指示を受けて、表示制御部１４がデータメモリ１２から読み出して、表示制御し、表示部１５に表示させる。
【００１７】
なお、無線機テストシステムの先行技術としては例えば下記の特許文献に示されたものがある。
【００１８】
【特許文献１】特開２００５-１２２７４号公報
【発明の開示】
【発明が解決しようとする課題】
【００１９】
ところで、上述の図２に示す従来例においては、携帯電話機テスタ２４以外にＲＦ信号発生器２５や制御用ＰＣ２６が必要となり、検査システムの規模・コスト・消費電力が大きくなるという問題があった。
【００２０】
さらに、被検査端末１と携帯電話機テスタ２４・ＲＦ信号発生器２５の間に、パワーコンバイナ２３やサーキュレータ２２が別途必要となり、被検査端末１に印加される信号のレベル確度を保証するには、このパワーコンバイナ２３やサーキュレータ２２による損失を保証するための校正が必要となるという問題もあった。
【００２１】
図３に示す従来例においては、携帯電話機テスタ単体で試験が行えるため、図２に示す従来例のような問題点はないが、端末制御部５，６のうちの一方を妨害波発生に使用している間、測定部の一方は動作せず、無駄になるという問題がある。
また、端末制御部５，６は携帯電話の通信方式をサポートするだけであるため、他の通信・放送方式の信号を発生することができないという問題があった。
【００２２】
従って、本発明は、携帯電話機テスタにＲＦ信号発生器を組み込み、隣接チャネル選択度やブロッキング特性の試験において必要となる妨害波、および、通信端末に付加的に組み込まれたテレビ受信機能等の無線受信機能の検査用信号の発生を１台の検査装置で行うことが可能な無線機用テストシステムを提供することを目的としている。
【課題を解決するための手段】
【００２３】
本発明は上記問題点を解決するためになされたもので、請求項１記載の無線機用テストシステムの発明においては、
無線機用テスタを用いて無線装置の性能を検査する無線機用テストシステムにおいて、前記無線機用テスタに、少なくとも妨害波、テレビ受信機能およびＧＰＳ受信機能を含む無線受信機能の検査を行うためのベースバンド信号発生器を組み込んだことを特徴とする。
【００２４】
請求項２においては、請求項１記載の無線機用テストシステムの発明において、
前記妨害波検査と無線受信機能の検査のための信号は前記ベースバンド信号発生器の出力信号を制御する測定制御手段を用いて検査ごとに切替えて行うことを特徴とする。
【００２５】
請求項３においては、請求項１又は２に記載の無線機用テストシステムの発明において、検査の進行状況および測定部での測定結果を表示する表示手段を設けたことを特徴とする。
【００２６】
請求項４においては、請求項１乃至３のいずれかに記載の無線機用テストシステムの発明において、前記無線装置は携帯電話であることを特徴とする。
【発明の効果】
【００２７】
以上説明したことから明らかなように本発明の請求項１乃至４によれば、次のような効果がある。
無線機用テスタを用いて無線装置の性能を検査する無線機用テストシステムにおいて、前記無線機用テスタに、少なくとも妨害波、テレビ受信機能およびＧＰＳ受信機能を含む無線受信機能の検査を行うためのベースバンド信号発生器を組み込んだので、隣接チャネル選択度やブロッキング特性の試験において必要となる妨害波、および、通信端末に組み込まれたテレビ受信機能やＧＰＳ受信機能等の検査用信号の発生を１台の検査装置で発生できる。
また、妨害波を付加するために必要な回路が検査装置に含まれているため、外部で校正を行う必要がない。
【発明を実施するための最良の形態】
【００２８】
図１は本発明の一実施例を示すブロック構成図である。図において３２は携帯電話機テスタであり、被検査端末１を自動的に検査する。
本発明の携帯電話機テスタ３２においては、被検査端末１との通信を行うため、測定制御部４３は、試験信号発生部４８を制御して被検査端末１への送信ベースバンド信号を発生させる。
【００２９】
ベースバンド信号はＲＦ送信部４７で変調され、信号切替部３１を介して被検査端末１に入力される。信号切替部３１では、パワーコンバイナ２３でＲＦ送信部４７からの送信信号と、ＲＦ信号発生部４１からの妨害信号を加算した後、サーキュレータ２２を介して出力する。
【００３０】
サーキュレータ２２では、試験用送信信号を被検査端末１に対して出力すると同時に、被検査端末１からの送信信号をＲＦ受信部３９に入力する。
被検査端末１の送信信号は、ＲＦ受信部３９で周波数変換されてＩＦ信号となり、測定部４０に入力される。
【００３１】
測定部４０ではＩＦ信号を復調し、試験信号発生部４８に対して被検査端末１からの応答を送る。同時に、被検査端末１の送信電力やスペクトルなどを測定する。
隣接チャネル選択度やブロッキング特性の試験を行うとき、測定制御部４３はベースバンド信号発生部４２を制御して妨害波のベースバンド信号を発生させる。
【００３２】
このベースバンド信号は、ＲＦ信号発生部４１で変調されてＲＦ信号となり、信号切替部３１で測定用送信信号に加算されて出力される。
信号切替部３１では、高周波スイッチ３６を切り替え、ＲＦ信号発生器４１からの妨害信号をパワーコンバイナ２３に入力する。
【００３３】
一方、被検査端末１に搭載されたテレビ受信機能やＧＰＳ受信機能等の検査を行うときは、測定制御部４３はベースバンド信号発生部４２を制御してテレビやＧＰＳのベースバンド信号を発生させる。このベースバンド信号は、ＲＦ信号発生部４１で変調されてＲＦ信号となり、信号切替部３１を通して出力される。
【００３４】
信号切替部３１では、高周波スイッチ３６を切り替え、ＲＦ信号発生器４１からのＲＦ信号を外部（点線で示す部分）に出力する。測定制御部４３は、検査の進行状況や測定部４０での測定結果を操作・表示制御部４４にて表示する。
【００３５】
上述の構成によれば、妨害波や各種試験信号が発生可能なＲＦ信号発生器を携帯電話機テスタに組み込んでいるため、隣接チャネル選択度やブロッキング特性の試験において必要となる妨害波、および、被検査端末１に組み込まれたテレビ受信機能等の検査用信号の発生を1台の検査装置で発生させることができる。更に、妨害波を付加するために必要な回路が検査装置に含まれているため、外部で校正を行う必要がない。
【００３６】
なお、本実施例では送信信号と受信信号を分離するためにサーキュレータを使用したが、パワースプリッタを使用しても良い。
また、本実施例ではＲＦ受信部でＩＦ信号に周波数変換していたが、復調してベースバンド信号とするようにしても良い。
【００３７】
また、本実施例において、ベースバンド信号発生部４２には、予め作成しておいた波形データを繰り返し出力する任意波形発生器を用いることができる。また、波形データをＰＣ上のソフトウエアで作成することで、ハードウェアを変更せずに新たな試験用信号を発生することができる。
【００３８】
また、本実施例において、ベースバンド信号発生部４２にディジタル信号処理プロセッサを組み込み、ディジタルデータをリアルタイムでディジタル変調して試験用信号を発生することもできる。この場合、繰返し周期の長い試験信号を低コストで作成することができる。
【００３９】
また、本実施例では、ＲＦ送信部４７、ＲＦ受信部３９、ＲＦ信号発生部４１は独立したブロックとして表示したが、それぞれで共通的に使用する基準信号等を発生する部分を共用することにより、回路規模・消費電力・コストを下げることができる。
【００４０】
本発明は、携帯電話機テスタにＲＦ信号発生器を組み込み、隣接チャネル選択度やブロッキング特性の試験では、ＲＦ信号発生部で妨害波を発生して被検査端末との通信信号に加算して出力し、通信端末に付加的に組み込まれたテレビ受信機能等の検査の時は、ＲＦ信号発生器で発生した検査用信号を独立して出力するので、１台の検査装置で妨害波付加試験と端末の付加機能の試験を両方とも可能な無線機用テストシステムを実現することができる。
【００４１】
なお、以上の説明は、本発明の説明および例示を目的として特定の好適な実施例を示したに過ぎない。本発明では無線機として携帯電話機を用いたが、他の移動体無線機であってもよい。従って本発明は、上記実施例に限定されることなく、その本質から逸脱しない範囲で更に多くの変更、変形を含むものである。
【図面の簡単な説明】
【００４２】
【図１】本発明の一実施例を示す無線機テストシステムの構成図である。
【図２】無線機用テストシステムの従来例を示す構成図である。
【図３】無線機用テストシステムの他の従来例を示す構成図である。
【符号の説明】
【００４３】
１，１ａ  被検査端末（携帯電話機）
３，３１  信号信号切替部
４        共通バス
５，６    端末制御部
７，８，４０  測定部
９        トータル制御部
１０      プログラム管理部
１０ａ    メモリ
１１，４３  測定制御部
１２      データメモリ
１３      データ処理部
１４      表示制御部
１５      表示部
１６      外部インタフェース
１８      操作部
２２      サーキュレータ
２３      パワーコンバイナ
２４，３２  携帯電話機テスタ
２５      信号発生器
２６      制御用ＰＣ
２７      ＧＰ−ＩＢ
３６      高周波スイッチ
３９      ＲＦ受信部
４１      ＲＦ信号発生部
４２      ＢＢ信号発生部
４３      測定制御部
４４      表示・操作制御部
４７      ＲＦ送信部
４８      試験信号発生部
【図１】
2007208349.tif 000003
【図２】
2007208349.tif 000004
【図３】
2007208349.tif 000005